(57)【要約】【課題】画面内のある一部分だけが明るいような逆光シーンにおいても、これを適確に検出して、適正な露出を得られるようにする。【解決手段】測光領域における主たる被写体の存在する領域に隣接する複数の参照領域の輝度値に基づいて、当該主たる被写体の存在する領域の輝度値を小さい値に補正する補正手段と、前記補正手段により補正された輝度値を用いて、前記主たる被写体の存在する領域及び前記複数の参照領域を含む領域の平均輝度値を算出する輝度値算出手段と、前記平均輝度値を算出する領域内の高輝度領域の輝度値を検出する検出手段と、前記補正された主たる被写体の存在する領域の輝度値、前記平均輝度値及び前記高輝度領域の輝度値に基づいて、露出補正値を算出する補正値算出手段と、を備える。【選択図】図７
2014098768.tif 000002
【特許請求の範囲】
【請求項１】
測光領域における主たる被写体の存在する領域に隣接する複数の参照領域の輝度値に基づいて、当該主たる被写体の存在する領域の輝度値を小さい値に補正する補正手段と、
前記補正手段により補正された輝度値を用いて、前記主たる被写体の存在する領域及び前記複数の参照領域を含む領域の平均輝度値を算出する輝度値算出手段と、
前記平均輝度値を算出する領域内の高輝度領域の輝度値を検出する検出手段と、
前記補正された主たる被写体の存在する領域の輝度値、前記平均輝度値及び前記高輝度領域の輝度値に基づいて、露出補正値を算出する補正値算出手段と、
を備えることを特徴とする撮像装置。
【請求項２】
前記主たる被写体の存在する領域は、焦点検出結果に基づく合焦領域あるいは顔領域であることを特徴とする請求項１に記載の撮像装置。
【請求項３】
前記補正手段は、前記主たる被写体の存在する領域の位置に基づいて、当該主たる被写体の存在する領域の輝度値を補正する際に用いる補正係数を変更することを特徴とする請求項１または２に記載の撮像装置。
【請求項４】
前記補正手段は、前記主たる被写体の存在する領域の位置が測光領域の中心に近いほど、当該主たる被写体の存在する領域の輝度値を補正する際の前記参照領域の輝度値の影響が小さくなるように、前記補正係数を変更することを特徴とする請求項３に記載の撮像装置。
【請求項５】
補正手段が、測光領域における主たる被写体の存在する領域に隣接する複数の参照領域の輝度値に基づいて、当該主たる被写体の存在する領域の輝度値を小さい値に補正する補正ステップと、
輝度値算出手段が、前記補正手段により補正された輝度値を用いて、前記主たる被写体の存在する領域及び前記複数の参照領域を含む領域の平均輝度値を算出する輝度値算出ステップと、
検出手段が、前記平均輝度値を算出する領域内の高輝度領域の輝度値を検出する検出ステップと、
補正値算出手段が、前記補正された主たる被写体の存在する領域の輝度値、前記平均輝度値及び前記高輝度領域の輝度値に基づいて、露出補正値を算出する補正値算出ステップと、
を備えることを特徴とする露出制御方法。
【発明の詳細な説明】
【技術分野】
【０００１】
本発明は、デジタルカメラやデジタルビデオカメラ等における露出制御技術に関するものである。
【背景技術】
【０００２】
カメラ等の測光装置あるいは露出制御装置として、次のような装置が実用化されている。すなわち、撮影画面内を複数の領域に分割して複数の輝度情報を得る。そして、その複数の輝度情報に基づいて所定のアルゴリズムによって、主被写体の明るさが背景の明るさに比べて著しく暗いような、いわゆる逆光シーンの判別なども行って適正な露出を得る。
【０００３】
例えば、特許文献１によれば、撮影画面内を複数のブロックに分割した上で各ブロック毎の累算データ及び画面内の最大値より測光値データを求める。また、画面内の中央部分が逆光状態か過順光状態かを判別することで測光基準値を変更し、アイリス制御を行うことで逆光等の条件下でも適正なアイリス動作による撮影が可能であるとしている。
【０００４】
特許文献２には、複数の領域に分割された測光領域の各輝度平均と主測距点輝度差により、逆光シーンの判定を行う方法が開示されている。画面内のある一部分だけが明るいような逆光シーンにおいてもこれを適確に検出して適正な露出とするカメラの露出制御が可能であるとしている。
【先行技術文献】
【特許文献】
【０００５】
【特許文献１】特開平６−２２５２０５号公報
【特許文献２】特開２００２−２９６６３５号公報
【発明の概要】
【発明が解決しようとする課題】
【０００６】
一般に逆光と呼ばれる条件の典型例は、主被写体の輝度が低く、それ以外の背景等の輝度が高い状況である。特許文献２では、複数領域に分割された測光領域の各輝度平均と、重み付けされた主測距点との輝度差により、画面内の明暗を適確に検出して露出補正している。この技術によれば、画面内のある部分だけが明るいような逆光シーンにおいて、主測距点の露出の精度を高めることができる可能性は高い。
【０００７】
しかしながら、集光レンズ等の測光光学系の感度分布特性（スポット径）の違いや撮影構図により、本来輝度が低いはずの主測距点が、測距点周辺の背景等の明るい光の影響を受けてしまうことで、主測距点の測光値輝度が高く持ち上げられてしまうことがある。この場合は、画面内の明暗が弱くなることで逆光シーンであるにも拘わらず逆光判別が行われない、あるいは、露出補正量が弱くなる可能性が高くなる。そのため、主測距点にある被写体などが露出不足で黒くつぶれた写真が得られてしまうこととなる。
【０００８】
本発明は上述した課題に鑑みてなされたものであり、その目的は、画面内のある一部分だけが明るいような逆光シーンにおいても、これを適確に検出して、適正な露出を得られるようにすることである。
【課題を解決するための手段】
【０００９】
本発明に係わる撮像装置は、測光領域における主たる被写体の存在する領域に隣接する複数の参照領域の輝度値に基づいて、当該主たる被写体の存在する領域の輝度値を小さい値に補正する補正手段と、前記補正手段により補正された輝度値を用いて、前記主たる被写体の存在する領域及び前記複数の参照領域を含む領域の平均輝度値を算出する輝度値算出手段と、前記平均輝度値を算出する領域内の高輝度領域の輝度値を検出する検出手段と、前記補正された主たる被写体の存在する領域の輝度値、前記平均輝度値及び前記高輝度領域の輝度値に基づいて、露出補正値を算出する補正値算出手段と、を備えることを特徴とする。
【発明の効果】
【００１０】
本発明によれば、画面内のある一部分だけが明るいような逆光シーンにおいても、これを適確に検出して、適正な露出を得ることが可能となる。
【図面の簡単な説明】
【００１１】
【図１】本発明の第１の実施形態に係わる撮像装置の側断面図。
【図２】焦点検出センサーにおける受光センサー部の配置を示した図。
【図３】受光センサー部の分割状態を示す図。
【図４】撮影画面内の焦点検出位置と測光センサーの対応位置関係を表した図。
【図５】第１の実施形態の撮像装置及び交換レンズの内部構成を示すブロック図。
【図６】撮像装置における撮影の全体動作を示すフローチャート。
【図７】撮像装置における露出演算の動作を示すフローチャート。
【図８】逆光シーンの例を示す図。
【図９】逆光シーンに対応した輝度情報の数値例を示した図。
【図１０】第２の実施形態における測光感度分布の例を示す図。
【図１１】第２の実施形態における補正係数の例を示す図。
【発明を実施するための形態】
【００１２】
以下、本発明の実施形態について、添付図面を参照して詳細に説明する。
【００１３】
（第１の実施形態）
図１は、本発明の第１の実施形態に係わる撮像装置であるカメラにおける光学部材の配置を示す側断面図である。図１においては、レンズ交換可能ないわゆるデジタル一眼レフタイプのカメラの構成を示している。
【００１４】
図１において、１０はカメラ本体、３０は交換レンズである。カメラ本体１０において１１は撮影レンズの光軸、１２は撮像素子、１３は半透過性の主ミラー、１４は第１の反射ミラーで主ミラー１３と第１の反射ミラー１４はともに撮影時には上部に跳ね上がる。撮像素子１２は例えばＣＭＯＳセンサやＣＣＤといったエリア型の蓄積型光電変換素子である。１５は第１の反射ミラー１４による撮像素子面１２と共役な近軸的結像面、１６は第２の反射ミラー、１７は赤外カットフィルター、１８は２つの開口部を有する絞り、１９は２次結像レンズ、２０は焦点検出センサー（ＡＦセンサー）である。
【００１５】
焦点検出センサー２０は例えばＣＭＯＳセンサやＣＣＤといったエリア型の蓄積型光電変換素子からなり、図２に示すように絞り１８の２つの開口部に対応して多数分割された受光センサー部が２０Ａと２０Ｂの１対配置された構成となっている。また、受光センサー部２０Ａと２０Ｂに加えて、信号蓄積部や信号処理用の周辺回路などが同一チップ上に集積回路として作り込まれる。第１の反射ミラー１４から焦点検出センサー２０までの構成は、特開平９−１８４９６５号公報等に詳細に記載されているように、撮影画面内の任意の位置での像ずれ方式での焦点検出を可能とするものである。
【００１６】
２１は拡散性を有するピント板、２２はペンタプリズム、２３は接眼レンズ、２４は第３の反射ミラー、２５は集光レンズ、２６は被写体の輝度に関する情報を得るための測光センサーである。測光センサー２６は例えばシリコンフォトダイオード等の光電変換素子からなり、図３に例示するように格子状に複数分割された（２次元的に配置された）受光センサー部を有した構成になっている。本実施形態では受光視野内を９列×７行＝６３分割した例で説明する。６３分割された各受光部はＰＤ１１〜ＰＤ７９と呼ぶこととする。受光センサー部以外に信号増幅部や信号処理用の周辺回路などが同一チップ上に集積回路として作り込まれることは周知である。
【００１７】
図４は、上記の焦点検出センサー２０による撮影画面内の焦点検出位置と６３分割された測光センサー２６との対応位置関係を表した図である。この例では撮影画面内の焦点検出位置をＳ０１からＳ２３までの９点とし、焦点検出位置Ｓ０１は測光センサー２６の受光部ＰＤ３４に対応した位置にて焦点検出を行う。さらに、図示のように焦点検出位置Ｓ０２は測光センサー２６の受光部ＰＤ２５に対応した位置にて焦点検出を行い、以下同様であって焦点検出位置Ｓ２３は測光センサー２６の受光部ＰＤ５６に対応した位置にて焦点検出を行う。
【００１８】
２７は撮影レンズを取り付けるマウント部、２８は撮影レンズと情報通信を行うための接点部である。交換レンズ３０において３１は絞り、３２はカメラ本体と情報通信を行うための接点部、３３はカメラに取り付けられるためのマウント部、３４，３５，３６は撮影レンズを構成する各光学レンズである。
【００１９】
図５は本実施形態のカメラ本体１０とその交換レンズ３０の電気回路の構成例を表わすブロック図である。カメラ本体１０において、４１は例えば内部に演算器、ＲＯＭ、ＲＡＭやＡ／Ｄコンバータ或いはシリアル通信ポート等の入出力ポートを内蔵したワンチップマイクロコンピュータによる制御部であり、カメラ機構等の全体制御を行う。
【００２０】
制御部４１の具体的な制御シーケンスについては後述する。焦点検出センサー２０及び測光センサー２６は図２、図３等に記載したものと同一である。焦点検出用センサー２０及び測光用センサー２６の出力信号は、制御部４１のＡ／Ｄコンバータ入力端子に接続される。
【００２１】
４２はシャッターであり制御部４１の出力端子に接続されて制御される。４３は第１のモータードライバであり制御部４１の出力端子に接続されて制御され、主ミラー１３の駆動等を行うための第１のモーター４４を駆動する。
【００２２】
４５はカメラの姿勢を検出するセンサーであり、その出力信号は制御部４１の入力端子に接続される。制御部４１は姿勢検出センサー４５の情報を入力することで撮影時に横位置に構えての撮影なのか、縦位置に構えての撮影なのかといった情報を得ることができる。４６は低照度下の条件で測距センサー２０により焦点検出を行う場合に被写体に赤外光などを投光するＡＦ光源であり、制御部４１の出力信号に応じて発光される。
【００２３】
４７は被写体の輝度が不足しているような場合に撮影時に発光するフラッシュであり、制御部４１の出力信号に応じて発光される。４８は液晶パネル等で構成され、撮影枚数、日付情報、撮影情報等を表示する第１の表示器であり、制御部４１の出力信号に応じて各セグメントが点灯制御される。４９は各種スイッチであり、レリーズボタン、各種設定ボタン等が含まれる。２８は図１に記載した接点部であり、制御部４１のシリアル通信ポートの入出力信号が接続される。
【００２４】
交換レンズ３０において５１は例えば内部に演算器、ＲＯＭ、ＲＡＭなどのメモリやシリアル通信ポート等を内蔵したワンチップマイクロコンピュータによるレンズ制御部である。５２は第２のモータードライバでありレンズ制御部５１の出力端子に接続されて制御され、焦点調節を行うための第２のモーター５３を駆動する。５４は第３のモータードライバでありレンズ制御部５１の出力端子に接続されて制御され、図１に示した絞り３１の制御を行うための第３のモーター５５を駆動する。５６は焦点調節レンズの繰り出し量すなわち被写体距離に関する情報を得るための距離エンコーダーであり、レンズ制御部５１の入力端子に接続される。５７は交換レンズ３０がズームレンズである場合に撮影時の焦点距離情報を得るためのズームエンコーダーであり、レンズ制御部５１の入力端子に接続される。３２は図１に記載した接点部であり、レンズ制御部５１のシリアル通信ポートの入出力信号が接続される。
【００２５】
交換レンズ３０がカメラ本体１０に装着されるとそれぞれの接点部２８と３２とが接続されてレンズ制御部５１はカメラ本体の制御部４１とのデータ通信が可能となる。カメラ本体の制御部４１が焦点検出や露出演算を行うために必要なレンズ固有の光学的な情報は、レンズ制御部５１からカメラ本体の制御部４１へとデータ通信によって出力される。また、同様に、距離エンコーダー５６或いはズームエンコーダー５７に基づいた被写体距離に関する情報、焦点距離情報もレンズ制御部５１からカメラ本体の制御部４１へと出力される。また、カメラ本体の制御部４１が焦点検出や露出演算を行った結果求められた焦点調節情報や絞り情報はカメラ本体の制御部４１からレンズ制御部５１へとデータ通信によって出力される。そして、レンズ制御部５１は焦点調節情報に従って第２のモータードライバ５２を制御し、絞り情報に従って第３のモータードライバ５４を制御する。
【００２６】
レンズを通過した被写体の光学像は撮像素子１２上に結像され、その光量に応じた電荷に変換される。撮像素子１２は例えばＲ（赤）、Ｇ（緑）、Ｂ（青）のカラーフィルタにより覆われている。各カラーフィルタはそれぞれの色の波長帯域周辺の分光感度を持ち、各カラーフィルタに対応して設けられた光電変換素子は、各カラーフィルタを通過した帯域の光線をそれぞれ光電変換する。
【００２７】
各光電変換素子により変換された電荷は、電気信号として撮像素子１２からデジタル信号処理器６０のＡ／Ｄ変換部に出力され、Ａ／Ｄ変換処理によりデジタル信号（画像データ）に変換される。取得した画像データを元に、デジタル信号処理器６０は画像補正処理や、画像圧縮処理等の各種信号処理、ＲＡＭ６１への取得画像保存、外部Ｉ／Ｆ６２への画像データ書き出し／読み込み等を行う。ＲＡＭ６１は信号処理時のワーク用メモリとしても使用される。ＲＯＭ６３は、デジタル信号処理器６０で実行する信号処理プログラム等が格納される。６４はＴＦＴなどの液晶パネルで構成され、撮影画像や撮影枚数、日付情報、撮影情報等を表示する第２の表示器であり、デジタル信号処理器６０の出力信号により制御される。
【００２８】
以下、図６から始まるフローチャートに従って、カメラ本体の制御部４１、デジタル信号処理器６０の具体的な動作シーケンスについて説明する。不図示の電源スイッチがオンされて制御部４１、デジタル信号処理器６０が動作可能となり、不図示のレリーズボタンの第１ストロークスイッチがオンされると、図６のステップＳ１０１より実行する。
【００２９】
ステップＳ１０１では、焦点検出センサー２０に対して制御信号を出力して、信号蓄積を開始する。ステップＳ１０２では、焦点検出センサー２０の信号蓄積が終了するのを待つ。ステップＳ１０３では、焦点検出センサー２０に蓄積された信号を読み出しながらＡ／Ｄ変換を行う。さらに読み込まれた各デジタルデータに対してシェーディング等の必要な各種のデータ補正を行う。
【００３０】
ステップＳ１０４では、焦点検出を行うために必要なレンズ情報等をレンズ制御部５１より入力し、これと焦点検出センサー２０から得られているデジタルデータより撮影画面各部の焦点状態を演算する。得られた撮影画面各部の焦点状態より例えば特開平１１−１９０８１６号公報等に記載されている手法により画面内の焦点を合わせるべき領域を決定する。決定された領域における焦点状態に従って合焦となるためのレンズ移動量を算出する。
【００３１】
ステップＳ１０５では、算出されたレンズ移動量をレンズ制御部５１に出力する。これに従ってレンズ制御部５１は焦点調節用レンズを駆動するように第２のモータードライバ５２に信号出力して、第２のモーター５３を駆動する。これにより撮影レンズは被写体に対して合焦状態となる。合焦状態になった後に距離エンコーダー５６に基づいた被写体距離に関する情報をレンズ制御部５１より入力することで被写体までの距離情報を得ることができる。
【００３２】
ステップＳ１０６では、測光センサー２６に対して制御信号を出力して、信号蓄積を開始する。ステップＳ１０７では、測光センサー２６の信号蓄積が終了するのを待つ。ステップＳ１０８では、測光センサー２６に蓄積された各受光部ＰＤ１１〜ＰＤ７９の信号を読み出しながらＡ／Ｄ変換を行う。
【００３３】
ステップＳ１０９では、露出演算を行う。演算によって被写体の輝度を求め、これに対して適正露出となるシャッター速度や絞り値を決定する。また、所定のアルゴリズムにより逆光シーンの判別を行う。演算内容の詳細は図７のフローチャートにて後述する。
【００３４】
ステップＳ１１０では、シャッターボタンの第２ストロークスイッチがオンされるのを待つ。オンされていなければステップＳ１０１に戻るが、もしも、オンされるとステップＳ１１１へ進む。
【００３５】
ステップＳ１１１では、第１のモータードライバに制御信号を出力して、第１のモーター４４を駆動して主ミラー１３及び第１の反射ミラー１４を跳ね上げる。
【００３６】
ステップＳ１１２では、ステップＳ１０９にて演算された絞り値情報をレンズ制御部５１に対して出力する。この情報に従ってレンズ制御部５１は絞り３１を駆動するように第３のモータードライバ５４に信号出力して、第３のモーター５５を駆動する。これにより撮影レンズは絞り込み状態となる。
【００３７】
ステップＳ１１３では、ステップＳ１０９のステップにて演算されたシャッター速度にしたがってシャッター４２を制御して撮像素子１２に対する露光を行う。
【００３８】
ステップＳ１１４では、露光終了後にレンズ制御部５１に対して絞り３１を開放するように情報出力する。この情報に従ってレンズ制御部５１は絞り３１を駆動するように第３のモータードライバ５４に信号出力して、第３のモーター５５を駆動する。これにより撮影レンズは絞り開放状態となる。
【００３９】
ステップＳ１１５では、第１のモータードライバに制御信号を出力して、第１のモーター４４を駆動して主ミラー１３及び第１の反射ミラー１４をダウンさせる。
【００４０】
ステップＳ１１６では、既に撮像素子１２上の各光電変換素子により変換された電荷が、撮像素子１２から電気信号としてデジタル信号処理器６０のＡ／Ｄ変換部に出力され、Ａ／Ｄ変換処理によりデジタル信号（たとえば、非圧縮画像データ）に変換される。これで一連の撮影シーケンスが終了する。
【００４１】
続いてステップＳ１０９で実行する露出演算の詳細な内容について図７のフローチャートに従って説明する。
【００４２】
ステップＳ１５１では、露出演算を行うために必要なレンズ情報等をレンズ制御部５１よりカメラ本体の制御部４１に入力し、ステップＳ１０８にて測光センサー２６の各受光部ＰＤ１１〜ＰＤ７９より得られているデジタル輝度データの補正を行う。補正を行った後の各受光部ＰＤ１１〜ＰＤ７９に対応した輝度データをそれぞれＥＤ１１〜ＥＤ７９と呼ぶこととする。更に、姿勢検出センサー４５の情報を入力してカメラの姿勢情報を得る。
【００４３】
ステップＳ１５２では、補正を行った各受光部の輝度データＥＤ１１〜ＥＤ７９に基づいてＹ１〜Ｙ７及びＸ１〜Ｘ９（図３参照）の射影データを算出する。射影データとは、輝度データＥＤ１１〜ＥＤ７９を行方向または列方向にそれぞれ加算平均したデータであり、例えば、Ｙ１の射影データは、輝度データＥＤ１１〜ＥＤ１９を加算平均したものである。Ｙ１〜Ｙ７の射影データを算出する場合はステップＳ１０４で焦点検出を行った領域の情報により射影データの算出範囲（演算領域）を変更する。これは焦点検出位置が基本的には主被写体の位置であると考えられることより、主被写体の位置を含む重点領域を主要な測光領域としてその領域内の値や特徴について重み付けを高くして露出演算を行うためである。
【００４４】
ステップＳ１５３では、制御部４１は、６３分割された測光センサー２６の各受光部の測光領域において、焦点検出位置と焦点検出位置に隣接した複数の測光領域の平均輝度値から、重み付け平均による微分処理（微分演算）を行う。これにより、焦点検出位置部分の輝度値補正演算を行う。焦点検出位置とは、焦点検出結果に基づく合焦領域や顔検出機能による顔領域などの主被写体領域（主たる被写体が存在する領域）である。
【００４５】
集光レンズのスポット径が広い場合、焦点検出位置に隣接した背景等の高輝度領域の影響を受け、焦点検出位置の輝度値が本来低いにも関わらず高く検出されてしまい、隣接した複数の測光領域の平均輝度値と焦点検出位置の輝度値との輝度差が小さくなる。
【００４６】
制御部４１は、６３分割された測光センサー２６の各受光部（測光領域）におけるｉ＝１〜６３の測光領域において、図３、図４の焦点検出位置と測光領域毎の輝度値から、焦点検出位置部分の輝度値Ｍ（ｉ）を算出する。また、焦点検出位置部分に隣接する参照領域の輝度値Ｒ（ｉ）も算出し、重み付け平均による微分処理を行い焦点検出位置部分の輝度値の補正演算を行う。本例では参照領域は焦点検出位置部分１点に対し上下左右の４点としているが、焦点検出位置部分の斜め領域も含めた８点としても良い。
【００４７】
重み付け平均による微分処理を行い、焦点検出位置部分の補正後の輝度値（Ｅｓ）を算出する。
【００４８】
Ｅｓ ＝ （Ｍ＊１６＋（ΣＲ（ｉ））＊ｒ_ｒ） ／ Ｄ
ここで、「１６」は、測距点輝度の重み付けを決定する固定値であり、「Ｄ」は、１６＋ｒ_ｒ＊４である。ｒ_ｒは、補正量を決める補正係数であり、ｒ_ｒ＝０の場合は補正量ゼロで、負の係数を大きくすることで焦点検出位置部分の輝度と焦点検出位置部分の隣接領域の輝度との傾き勾配を上げ輝度差をより大きくする。
【００４９】
このようにして、焦点検出位置部分の輝度補正を行うことで、集光レンズのスポット径が広い場合に焦点検出位置部分の隣接輝度の影響を受けていても、実際の輝度差に近い輝度差を得ることができる。そして、画面内のある一部分だけが明るいような逆光シーンにおいても、これら輝度差を適確に検出して、適正な露出を得ることができる。
【００５０】
一例を図８及び図９に従って説明する。図８の逆光シーンに対応した輝度情報ＥＤ１１〜ＥＤ７９の各数値例を図３の配列に従って表したものが図９である。このシーンでは、主被写体である人物８０の顔付近にて焦点検出を行うのが適当であるので、焦点検出位置としてはＳ１２となり、測光領域における集光レンズのスポット径８１に対して被写体領域は比較的小さな面積である。そのため、測光センサー２６から得られる焦点検出位置部分８２は、隣接領域８３〜８６のうち特に背景に明るい空が入った隣接領域８３、８４、８５の高輝度の影響を受け輝度値が高くなってしまう。
【００５１】
本例の場合、補正係数をゼロとし補正しなかった場合には、逆光検知がされずに結果として露出不足となってしまう可能性がある。補正係数を−１とした場合には、前述の式を用いて、
Ｅｓ＝（９．１＊１６＋（１０．７＋９．６＋１０．８＋１０．８）＊−１）／１２
＝８．６
となり、補正前の焦点検出位置部分の輝度９．１に対し−０．５補正され、焦点検出位置部分の輝度と隣接領域の平均輝度との輝度差が大きくなる。後述のステップＳ１５４における平均輝度値算出処理でも、この輝度差が有効に働き適正な露出演算が可能となる。
【００５２】
ステップＳ１５４では、焦点検出位置の情報に応じて、全領域の平均と焦点検出位置での重み付け平均を算出し、焦点検出位置を重視して焦点検出位置より離れた領域の重み付けを低くした平均輝度値Ｅａとする。
【００５３】
ステップＳ１５５では、射影データＹ１〜Ｙ７及びＸ１〜Ｘ９のうちの最大値を示すものを検出する。その最大値をＥｈとする。Ｅｈが所定値を超える場合には高輝度補正値γを算出する。高輝度補正値γが算出されると前ステップで算出された平均的輝度値Ｅａに高輝度補正（加算）を行いＥａ（γ）を求める。
【００５４】
Ｅａ（γ）＝Ｅａ−γ
高輝度補正を行うことで画面内のある領域に逆光の空などの高輝度領域が含まれている場合に、その高輝度部分の輝度値の影響を補正することができる。
【００５５】
ステップＳ１５６では、所定の条件を満たす場合に露出補正値αを算出する。
【００５６】
条件としてＥａ（γ）＞Ｅｓの場合は、
α＝｛Ｅｓ−Ｅａ（γ）｝×０．５
条件としてＥａ（γ）＜ＥｓかつＥａ（γ）＜０の場合は、
α＝｛Ｅｓ−Ｅａ（γ）｝×０．２５
として算出される。その他の条件下ではα＝０である。
【００５７】
ここで、Ｅｓとは、焦点検出位置座標における補正後の輝度値であり、高輝度補正された平均的輝度値Ｅａ（γ）よりもＥｓが小さい場合、焦点検出位置にある被写体の輝度を上げるため、露出補正量を大きくする。
【００５８】
ステップＳ１５７では、露出制御用の被写体輝度値Ｅｅ＝Ｅａ（γ）＋αとして算出する。被写体輝度値Ｅｅ及びフラッシュ４７の使用の有無に基づいて最適な露出制御因子すなわちシャッター速度や絞り値等の露出制御値を決定する。
【００５９】
なお、ステップＳ１５７では、ステップＳ１５６の補正値算出処理で算出した露出補正値αを用いて露出制御用の被写体輝度値Ｅｅを算出したが、露出補正値αを露出値に対応させて露出制御用の露出値を算出する際に用いても構わない。
【００６０】
（第２の実施形態）
集光レンズ２５等の測光光学系の感度分布特性（スポット径）は、測光領域位置によって特性が異なることがあるため、その場合には、ステップＳ１５３の補正係数ｒ_ｒを焦点検出位置によって変更する構成としても良い。
【００６１】
本実施形態を図１０及び図１１に従って説明する。図１０は格子状に複数分割された測光領域と、焦点検出センサー２０の焦点検出位置の対応関係を表した図である。本実施形態では受光視野内を９列×７行＝６３分割した例で説明する。
【００６２】
本実施形態では、撮影画面内の焦点検出位置をＳ０１からＳ２３までの９点とし、各焦点検出位置に対してスポット径９０〜９８をそれぞれ持つ。
【００６３】
一般的には測光領域中心のスポット径範囲が一番狭く、中心から離れた領域のスポット径範囲はシャープさが失われ大きくなる。そのため、図１１のように補正係数ｒ_ｒをそれぞれの焦点検出位置スポット径に対して設定する。すなわち、主たる被写体の存在する領域の位置が測光領域の中心に近いほど、主たる被写体の存在する領域の輝度値を補正する際の参照領域の輝度値の影響が小さくなるように、補正係数ｒ_ｒを変更する。このようにすることで、主被写体が測光領域の中心部か、周辺部かによって補正係数を変更することで補正量を変えることが可能となる。
【００６４】
以上、本発明の好ましい実施形態について説明したが、本発明はこれらの実施形態に限定されず、その要旨の範囲内で種々の変形及び変更が可能である。
【００６５】
例えば、上記の２つの実施形態においては、測光センサー２６の受光部を７×９の６３分割とし、焦点検出位置の数を９点とした例にて説明したが本発明はこうした数の場合に限定されるものではない。
【図１】
2014098768.tif 000003
【図２】
2014098768.tif 000004
【図３】
2014098768.tif 000005
【図４】
2014098768.tif 000006
【図５】
2014098768.tif 000007
【図６】
2014098768.tif 000008
【図７】
2014098768.tif 000009
【図９】
2014098768.tif 000010
【図１０】
2014098768.tif 000011
【図１１】
2014098768.tif 000012
【図８】
2014098768.tif 000013